(57)【特許請求の範囲】
【請求項１】
相対する妻床大梁と相対する桁床大梁の４本の床大梁により床枠組を形成し、
相対する桁床大梁に複数本の床小梁を架け渡し、
複数本の床小梁の上に床板を支持する建物ユニットにおける床板支持構造において、
相対する妻床大梁のそれぞれに該妻床大梁の長手方向に沿う長物の床板支持金物を取付け、各床板支持金物と、該床板支持金物が取付けられた妻床大梁に相隣る床小梁の上に、床板を支持し、
妻床大梁の側から床板支持金物の上部を経て床板に渡る気密フィルムを設けてなることを特徴とする建物ユニットにおける床板支持構造。
【請求項２】
前記床板支持金物が、妻床大梁に取付けられる取付ピースと、取付ピースに固定されて床板を支持する床板受アングルとからなる請求項１に記載の建物ユニットにおける床板支持構造。
【請求項３】
前記床板受アングルが妻床大梁の長手方向に沿う長物からなり、該床板受アングルの長手方向の複数位置に取付ピースが設けられる請求項２に記載の建物ユニットにおける床板支持構造。
【発明の詳細な説明】
【技術分野】
【０００１】
本発明は建物ユニットにおける床板支持構造に関する。
【背景技術】
【０００２】
特許文献１に記載の建物ユニットでは、図６に示す如く、相対する妻床大梁１、１と相対する桁床大梁２、２の４本の床大梁により床枠組を形成し、相対する桁床大梁２、２に複数本の床小梁３を取付けて架け渡し、複数本の床小梁３の上に床板４Ａを支持している。また、桁床大梁２の両端側のそれぞれに取付けられた床小梁３と、この床小梁３に相対する妻床大梁１との間では、この間で相対する桁床大梁２、２に端根太固定治具５を架け渡すとともに、床小梁３の側部に端根太受木桟６を固定し、図６、図７に示す如く、妻床大梁１と端根太固定治具５と端根太受木桟６の上に多数本の端根太７を取付け、多数本の端根太７の上面に床板４Ｂを支持している。
【０００３】
そして、特許文献１に記載の建物ユニットでは、建物ユニットの内部に設けられる居室等の気密を確保するために、図７に示す如く、妻床大梁１の側から端根太７の上部を経て床板４Ｂの上面に渡る気密フィルム８を貼り設ける。妻床大梁１及び端根太７の上にはこの気密フィルム８を介して壁パネル等が組込まれる。
【特許文献１】特開2008-14126
【発明の開示】
【発明が解決しようとする課題】
【０００４】
特許文献１に記載の建物ユニットには以下の問題点がある。
(1)妻床大梁１寄りの床板４Ｂを妻床大梁１等に取付けた多数本の端根太７に支持しており、妻床大梁１の側から床板４Ｂに貼り渡す気密フィルム８が、端根太７の木口角にあたって破れ易い。破れた気密フィルム８は補修が必要であり、その補修に手間がかかる。
【０００５】
(2)妻床大梁１寄りの床板４Ｂを支持するための多数本の端根太７を１本ずつ妻床大梁１等に取付ける必要があり、床板４Ｂの取付けに手間がかかる。
【０００６】
(3)多数本の端根太７の厚みが不均等になると、床板４Ｂがそれら端根太７の上面レベル差に起因するきしみを生じ、前述の気密フィルム８が破れ易くなる。
【０００７】
(4)床板４Ｂの板厚を変更したときには、端根太７の厚みを変える必要を生じ、床板４Ｂの板厚に応じた専用の端根太７が必要になる。
【０００８】
本発明の課題は、妻床大梁寄りの床板を簡易に支持し、妻床大梁の側から床板に貼り渡す気密フィルムの破れを防止することにある。
【課題を解決するための手段】
【０００９】
請求項１の発明は、相対する妻床大梁と相対する桁床大梁の４本の床大梁により床枠組を形成し、相対する桁床大梁に複数本の床小梁を架け渡し、複数本の床小梁の上に床板を支持する建物ユニットにおける床板支持構造において、相対する妻床大梁のそれぞれに該妻床大梁の長手方向に沿う長物の床板支持金物を取付け、各床板支持金物と、該床板支持金物が取付けられた妻床大梁に相隣る床小梁の上に、床板を支持し、妻床大梁の側から床板支持金物の上部を経て床板に渡る気密フィルムを設けてなるようにしたものである。
【００１０】
請求項２の発明は、請求項１の発明において更に、前記床板支持金物が、妻床大梁に取付けられる取付ピースと、取付ピースに固定されて床板を支持する床板受アングルとからなるようにしたものである。
【００１１】
請求項３の発明は、請求項２の発明において更に、前記床板受アングルが妻床大梁の長手方向に沿う長物からなり、該床板受アングルの長手方向の複数位置に取付ピースが設けられるようにしたものである。
【発明の効果】
【００１２】
（請求項１）
(a)妻床大梁寄りの床板を妻床大梁に取付けた長物の床板支持金物に支持しており、妻床大梁の側から床板に貼り渡す気密フィルムは床板支持金物のＲ面等に当たるものになって破れ難い。
【００１３】
(b)長物の床板支持金物を妻床大梁に予め取付けておけば、この床板支持金物に床板を載せるだけで支持でき、床板の取付けの手間を削減できる。
【００１４】
(c)長物の床板支持金物が床板を広い範囲で一定レベルに安定支持し、床板のきしみを生じ難く、床板のきしみによる気密フィルムの破れも生じない。
【００１５】
（請求項２）
(d)床板支持金物が、妻床大梁に取付けられる取付ピースと、取付ピースに固定されて床板を支持する床板受アングルとからなる。床板の板厚を変更したとき、取付ピースと床板受アングルの固定位置を調整するだけで対応でき、取付ピースと床板受アングルの各部材を板厚の異なる床板に共通適用できる。
【００１６】
（請求項３）
(e)床板支持金物を構成する床板受アングルが妻床大梁の長手方向に沿う長物からなり、該床板受アングルの長手方向の複数位置に取付ピースが設けられる。床板支持金物の軽量化を図りながら、長物の床板受アングルにより床板を安定支持できる。
【発明を実施するための最良の形態】
【００１７】
図１は建物ユニットの一部を示す平面図、図２は建物ユニットにおける床板支持構造を示す斜視図、図３は図１のIII−III線に沿う断面図、図４は図１のIV−IV線に沿う断面図、図５は図１のV−V線に沿う断面図、図６は従来の建物ユニットにおける床板支持構造を示す斜視図、図７は床板支持構造を示す断面図である。
【実施例】
【００１８】
図１、図２に示す建物ユニット１０は、工場生産段階で、相対するＣ形鋼製妻床大梁１１、１１と相対するＣ形鋼製桁床大梁１２、１２により床枠組を形成し、この妻床大梁１１と桁床大梁１２が交差する床枠組の４つのコーナー部に角鋼管製柱１３を立設し、４本の柱１３の上端部に不図示の天井大梁からなる天井枠組の４つのコーナー部を接合した箱形骨組構造体である。
【００１９】
建物ユニット１０は、相対する桁床大梁１２、１２に複数本の床小梁２０の両端取付片２１を取付けてそれら床小梁２０を架け渡す。桁床大梁１２の一端側に取付けた床小梁２０と桁床大梁１２の他端側に取付けた床小梁２０との間では、この間の複数本の床小梁２０の上に床板３１を支持している。
【００２０】
桁床大梁１２の両端側のそれぞれに取付けた床小梁２０と、この床小梁２０に相対する妻床大梁１１との間には、床板３１に連続する床板３２が以下の如くに支持される。即ち、相対する妻床大梁１１、１１のそれぞれに、該妻床大梁１１の長手方向に沿う長物の床板支持金物４０を取付け、各床板支持金物４０と、該床板支持金物４０が取付けられた妻床大梁１１に相隣る床小梁２０の上に、床板３２を支持する。本実施例では、各妻床大梁１１の両端側を除く中間部の２位置に２個の床板支持金物４０を並置する。床板３２の一端をこれら２個の床板支持金物４０の上に弾性接着剤５０を介して支持し、ビス５１により床板支持金物４０に固定する。床板３２の他端を床小梁２０の上に弾性接着剤５０を介して支持し、ビス５１により床小梁２０に固定する。
【００２１】
床板支持金物４０は、図３、図４に示す如く、妻床大梁１１に溶接等により取付けられる取付ピース４１と、取付ピース４１に背中合せで溶接等により固定される床板受アングル４２とからなる。床板受アングル４２の上面に塗布された弾性接着剤５０に床板３２を載せて支持し、この床板３２をビス５１により床板受アングル４２の上面に固定する。床板受アングル４２は妻床大梁１１の長手方向に沿う長物からなり、該床板受アングル４２の長手方向の複数位置に取付ピース４１が設けられる。
【００２２】
尚、本実施例では、桁床大梁１２の両端側のそれぞれに取付けた床小梁２０と、この床小梁２０に相対する妻床大梁１１の間で、各妻床大梁１１の両端部のそれぞれに直交して桁床大梁１２に沿う端根太６０を設け、床板３２の桁側に連続して設けられる現地施工の床板３３をこの端根太６０に支持する。端根太６０は、図５に示す如く、桁床大梁１２の両端側のそれぞれに取付けた床小梁２０の側部に端根太受木桟６１を組固定し、この端根太受木桟６１の上面と妻床大梁１１の上面に端根太６０を載せて固定する。床板３３は、前述の床板支持金物４０（床板受アングル４２）の長手方向の端部の上面と、床小梁２０の上面と、端根太６０の上面に載って固定される。
【００２３】
しかるに、建物ユニット１０にあっては、建物ユニット１０の内部に設けられる居室等の気密を確保するための気密フィルム７０が、図３に示す如く、妻床大梁１１の側面から床板支持金物４０の取付ピース４１、床板受アングル４２の上部を経て床板３２、３３に渡るように貼り設けられる。気密フィルム７０が当たる床板受アングル４２の角部４２Ａは曲げ加工等によりＲ面を付与され、気密フィルム７０を破ることがない。妻床大梁１１の上には、この気密フィルム７０を介して、壁パネル等が組込まれる。
【００２４】
本実施例によれば以下の作用効果を奏する。
(a)妻床大梁１１寄りの床板３２を妻床大梁１１に取付けた長物の床板支持金物４０に支持しており、妻床大梁１１の側から床板３２に貼り渡す気密フィルムは床板支持金物４０のＲ面４２Ａ等に当たるものになって破れ難い。
【００２５】
(b)長物の床板支持金物４０を妻床大梁１１に予め取付けておけば、この床板支持金物４０に床板３２を載せるだけで支持でき、床板３２の取付けの手間を削減できる。
【００２６】
(c)長物の床板支持金物４０が床板３２を広い範囲で一定レベルに安定支持し、床板３２のきしみを生じ難く、床板３２のきしみによる気密フィルムの破れも生じない。
【００２７】
(d)床板支持金物４０が、妻床大梁１１に取付けられる取付ピース４１と、取付ピース４１に固定されて床板３２を支持する床板受アングル４２とからなる。床板３２の板厚を変更したとき、取付ピース４１と床板受アングル４２の固定位置を調整するだけで対応でき、取付ピース４１と床板受アングル４２の各部材を板厚の異なる床板３２に共通適用できる。
【００２８】
(e)床板支持金物４０を構成する床板受アングル４２が妻床大梁１１の長手方向に沿う長物からなり、該床板受アングル４２の長手方向の複数位置に取付ピース４１が設けられる。床板支持金物４０の軽量化を図りながら、長物の床板受アングル４２により床板３２を安定支持できる。
【００２９】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００３０】
【図１】図１は建物ユニットの一部を示す平面図である。
【図２】図２は建物ユニットにおける床板支持構造を示す斜視図である。
【図３】図３は図１のIII−III線に沿う断面図である。
【図４】図４は図１のIV−IV線に沿う断面図である。
【図５】図５は図１のV−V線に沿う断面図である。
【図６】図６は従来の建物ユニットにおける床板支持構造を示す斜視図である。
【図７】図７は床板支持構造を示す断面図である。
【符号の説明】
【００３１】
１０  建物ユニット
１１  妻床大梁
１２  桁床大梁
２０  床小梁
３１、３２、３３  床板
４０  床板支持金物
４１  取付ピース
４２  床板受アングル
７０  気密フィルム
【図１】
0005022306.tif 000002
【図２】
0005022306.tif 000003
【図３】
0005022306.tif 000004
【図４】
0005022306.tif 000005
【図５】
0005022306.tif 000006
【図６】
0005022306.tif 000007
【図７】
0005022306.tif 000008